(57)【要約】  本発明は、第１のキオスクおよび第２のキオスク、前記第１のキオスクに接続された第１のデバイスおよび前記第２のキオスクに接続された第２のデバイス、前記第１のキオスクおよび前記第２のキオスクを管理するように構成されたキオスク・マネージャ、ならびに前記キオスク・マネージャと前記第１のキオスクおよび前記第２のキオスクとの間のネットワーク接続を備えるキオスク・システムであって、前記第１のキオスクおよび前記第２のキオスクのそれぞれは、それに接続されたデバイスを代表する特徴を含む仮想層を備え、前記キオスク・マネージャは、前記代表的特徴に応じて前記第１のキオスクおよび前記第２のキオスクを接続するように構成され、それによってキオスク・サブネットワークを形成する、キオスク・システムに関する。
2014531654.tif 000002
【特許請求の範囲】
【請求項１】
−  第１のキオスク（１０ａ）および第２のキオスク（１０ｃ、１０ｄ）と、
−  前記第１のキオスク（１０ａ）に接続された第１のデバイス（２０−１、２０−２）および前記第２のキオスク（１０ｃ、１０ｄ）に接続された第２のデバイス（２０−１、２０−３、２０−４、２０−１）と、
−  前記第１のキオスク（１０ａ）および前記第２のキオスク（１０ｃ、１０ｄ）を管理するように構成されたキオスク・マネージャ（３０）と、
−  前記キオスク・マネージャ（３０）と前記第１のキオスク（１０ａ）および前記第２のキオスク（１０ｃ、１０ｄ）との間のネットワーク接続（１００）と
を備えるキオスク・システムであって、
−  前記第１のキオスク（１０ａ）および前記第２のキオスク（１０ｃ、１０ｄ）のそれぞれは、それに接続されたデバイス（２０）を代表する情報（Ｃｉ）を含む仮想層（１１）を備え、
−  前記キオスク・マネージャ（３０）は、前記代表的情報（Ｃｉ）に応じて前記第１のキオスクおよび前記第２のキオスク（１０）を接続することによってキオスク・サブネットワーク（１）を形成するように構成される、
キオスク・システム。
【請求項２】
キオスク・マネージャ（３０）は、
−  単一のキオスク（１０）それぞれの構成およびネットワークにおいて動作しているキオスク（１０ａ、１０ｃ、１０ｄ）の構成のためのインターフェース層（３５）と、
−  要求を、キオスクそれぞれの特徴と一致するサービスのアクティブ化に変換するためのサービス層（３６）と、
−  キオスク構成要求を、単一のキオスク（１０ａ、１０ｃ、１０ｄ）それぞれの管理に適したデータ・パケットに変換するためのネットワーク層（３７）と
を備える、請求項１に記載のキオスク・システム。
【請求項３】
前記キオスク・マネージャ（３０）は、前記キオスクに接続されたデバイス（２０）を代表する前記情報（Ｃｉ）を検出するように構成された発見マネージャ（３１）を備える、請求項１に記載のキオスク・システム。
【請求項４】
前記キオスク・マネージャ（３０）は、前記サブネットワーク（１）において前記少なくとも１つのキオスク（１０）を構成するように構成された構成マネージャ（３２）を備える、請求項１乃至３のいずれか１項に記載のキオスク・システム。
【請求項５】
前記構成マネージャ（３２）は、
−  キオスク（１０ａ、１０ｃ、１０ｄ）を作成するように構成された第１の構成モジュール（３２１）、
−  前記キオスク（１０ａ、１０ｃ、１０ｄ）の物理的インフラストラクチャを変更するように構成された第２の構成モジュール（３２２）、
−  キオスク（１０ａ、１０ｃ、１０ｄ）をロードおよび／または起動するように構成された第３の構成モジュール（３２３）、
−  キオスク（１０ａ、１０ｃ、１０ｄ）を複製するように構成された第４の構成モジュール（３２４）、ならびに
−  キオスク（１０ａ、１０ｃ、１０ｄ）を除去するように構成された第５の構成モジュール（３２５）
の１つまたは複数を備える、請求項４に記載のキオスク・システム。
【請求項６】
前記キオスク・マネージャ（３０）は、計算資源を仮想キオスク・サブネットワーク（１）に動的に分配するために、仮想キオスク・ネットワーク上で適切なアドバンスト・サービスのデプロイメントを設計、指定およびオーケストレートするように構成されたサービス・オーケストレータ・マネージャ（３３）を備える、請求項１乃至５のいずれか１項に記載のキオスク・システム。
【請求項７】
前記キオスク・マネージャ（３０）は、接続問題がないか監視し、トラブル・チケット・システムを扱うように構成されたヘルプ・マネージャ（３４）を備える、請求項１乃至６のいずれか１項に記載のキオスク・システム。
【請求項８】
前記キオスク・マネージャ（３０）は、１つまたは複数のキオスク（１０）上に分配されるように構成される、請求項１乃至７のいずれか１項に記載のキオスク・システム。
【請求項９】
前記デバイス（２０）は、マルチメディア・デバイスおよび／またはセンサ・デバイスを備える、請求項１乃至８のいずれか１項に記載のキオスク・システム。
【請求項１０】
前記デバイス（２０）は、
−  ケーブル接続、および
−  無線接続
の１つまたは複数によって前記キオスク（１０）に接続される、請求項１乃至９のいずれか１項に記載のキオスク・システム。
【請求項１１】
前記デバイス（２０）は、
−  無線アクセス・ポイント、
−  カメラ、
−  インタラクティブ端末、
−  ＮＦＣデバイス、
−  圧力センサおよび／または温度センサ、
−  マルチコア処理ユニット、
−  ストレージ、
−  ローカライゼーション、
−  ネットワーク接続（多層）、
−  ディスプレイ
のうちの１つまたは複数を備える、請求項１乃至１０のいずれか１項に記載のキオスク・システム。
【請求項１２】
前記キオスク（１０）は、前記情報（Ｃｉ）によって表された前記物理的デバイス（２０）によって提供された、最終ユーザに対して露出された機能のセットを表すアプリケーション層（１２）を備える、請求項１乃至１１のいずれか１項に記載のキオスク・システム。
【発明の詳細な説明】
【技術分野】
【０００１】
本発明は、キオスク・システムに関する。具体的には、本発明は、情報およびサービスを提供するためのキオスク・システムおよびそのようなキオスク・システムを形成するように構成されたキオスクに関する。
【背景技術】
【０００２】
当技術分野ではよく知られているように、マルチメディア・キオスク・デバイスは、情報、広告および／またはいくつかのインタラクティブ・サービスを提供するように構成された通信ツールである。そのようなデバイスは、単に、「キオスク・デバイス」または「キオスク」とも呼ばれる。
【０００３】
キオスク・デバイスは、都市、町、および公共の場で現在インストールされているスタンドアロン・デバイスであり、それらは情報および／またはサービスに静的な方法でアクセスすることを可能にする。言い換えれば、そのようなキオスクは、さらなる構成を可能にすることなく特定の決められた情報を管理することを可能にする。
【０００４】
例えば、図書館内の書籍の位置またはデータに関する情報を備えた図書館内のキオスク、列車の発車時刻および列車の種別を備えた鉄道駅内のキオスク、街路および建物に関する情報を備えた地図のためのキオスクが見受けられる。
【０００５】
そのようなキオスクの主な欠点は、それらの機能が非常に限られていることである。
【０００６】
各キオスクは、ハードウェア・コンポーネントの標準セットを備えたスタンドアロン・システムである。現在、各キオスクは、標準的なサービスおよび／または標準的な情報を提供するように設計される。
【０００７】
さらに、キオスクは、単に標準的なチャネルを介してインターネットに接続されるだけでよい。
【発明の概要】
【発明が解決しようとする課題】
【０００８】
本出願人は、上記現況技術の欠点を克服するために情報および物理的資源を管理する際の柔軟性の点で改善されたキオスク・システムを提供するという問題に直面してきた。
【課題を解決するための手段】
【０００９】
技術的問題は、請求項１によれば、
−  第１のキオスクおよび第２のキオスクと、
−  前記第１のキオスクに接続された第１のデバイスおよび前記第２のキオスクに接続された第２のデバイスと、
−  前記第１のキオスクおよび前記第２のキオスクを管理するように構成されたキオスク・マネージャと、
−  前記キオスク・マネージャと前記第１のキオスクおよび前記第２のキオスクとの間のネットワーク接続と
を備えるキオスク・システムであって、
−  前記第１のキオスクおよび前記第２のキオスクのそれぞれは、それに接続されているデバイスを代表する特徴を含む仮想層を備え、
−  前記キオスク・マネージャは、前記代表的特徴に応じて前記第１のキオスクと前記第２のキオスクとを接続するように構成され、それによってキオスク・サブネットワークを形成する、
キオスク・システムによって解決される。
【００１０】
キオスク・マネージャは、
−  単一のキオスクそれぞれの構成およびネットワーク内で動作している全キオスクの構成のためのインターフェース層と、
−  要求をキオスクそれぞれの特徴と一致するサービスのアクティブ化に変換するためのサービス層と、
−  キオスク構成要求を単一のキオスクそれぞれの管理に適したデータ・パケットに変換するためのネットワーク層と
を備える。
【００１１】
本発明の諸実施形態では、前記キオスク・マネージャは、前記キオスクに接続されているデバイスを代表する前記特徴を検出するように構成された発見マネージャを備える。
【００１２】
本発明の諸実施形態では、前記キオスク・マネージャは、前記サブネットワークにおいて前記少なくとも１つのキオスクを構成するように構成された構成マネージャを備える。
【００１３】
本発明の諸実施形態では、前記構成マネージャは、
−  キオスクを作成するように構成された第１の構成モジュール、
−  前記キオスクの物理的インフラストラクチャを変更するように構成された第２の構成モジュール、
−  キオスクをロードおよび／または起動するように構成された第３の構成モジュール、
−  キオスクを複製するように構成された第４の構成モジュール、ならびに
−  キオスクを除去するように構成された第５の構成モジュール
の１つまたは複数を備える。
【００１４】
本発明の諸実施形態では、前記キオスク・マネージャは、仮想キオスク・サブネットワークに計算資源を動的に分配するために、仮想キオスク・ネットワーク上で適切なアドバンスト・サービスのデプロイメントを設計、指定およびオーケストレートするように構成されたサービス・オーケストレータ・マネージャを備える。
【００１５】
本発明の諸実施形態では、前記キオスク・マネージャは、接続問題を監視しトラブル・チケット・システムを扱うように構成されたヘルプ・マネージャを備える。
【００１６】
本発明の諸実施形態では、前記キオスク・マネージャは、１つまたは複数のキオスク上に分配されるように構成される。
【００１７】
本発明の諸実施形態では、前記デバイスは、マルチメディア・デバイスおよび／またはセンサ・デバイスを備える。
【００１８】
本発明の諸実施形態では、前記デバイスは、ケーブル接続および無線接続の１つまたは複数によって前記キオスクに接続される。
【００１９】
本発明の諸実施形態では、前記デバイスは、無線アクセス・ポイント、カメラ、インタラクティブ端末、ＮＦＣデバイス（複数可）、圧力センサおよび／または温度センサ、マルチコア処理ユニット、ストレージ、ローカライゼーション、ネットワーク接続（多層）、ディスプレイ、場合によっては高解像度ディスプレイの１つまたは複数を備える。
【００２０】
本発明の諸実施形態では、前記キオスクは、前記特徴によって表される前記物理的デバイスによって提供される、最終ユーザに対して露出された機能のセットを表すアプリケーション層を備える。
【００２１】
他の態様によれば、本発明は、ネットワーク内の少なくとも１つのデバイスに接続されたキオスクであって、
−  前記特徴によって表される前記デバイスによって提供される、最終ユーザに対して露出された機能のセットを表すアプリケーション層、
−  それに接続されたデバイスを代表する特徴を含む仮想層、ならびに
−  キオスクを、キオスクに接続されたデバイスを代表する前記特徴に応じて、調整された資源／デバイスを共用するプラットフォームを表す計算グリッド、および動的多次元キオスク・サブネットワークにおける問題解決システムに接続するように構成されたネットワーク層
を備えるキオスクを提供する。
【００２２】
キオスク・サブネットワークの形成を管理するためのキオスク・マネージャを提供することにより、キオスクによって提供される情報およびサービスは、非常に様々なアプリケーションを実施するように容易に構成され得る。
【００２３】
本発明は、以下で提供される説明において、および添付の図面に関連する叙述的であって限定的ではない諸実施形態の助けを借りて、より詳細に説明される。
【図面の簡単な説明】
【００２４】
【図１】本発明の一実施形態によるキオスク・システムを示す概略図である。
【図２】図１のキオスク・システムをさらに表す図である。
【図２ａ】図２の詳細、すなわちキオスクに接続されたキオスク・マネージャを示す図である。
【図３】第１の動作可能な状態、すなわち発見デバイスおよびその応答における図１のキオスク・システムを示す図である。
【図４ａ】さらに動作可能な状態における、すなわちキオスクを作成する、図１のキオスク・システムを示す図である。
【図４ｂ】さらに動作可能な状態における、すなわちキオスクを変更する、図１のキオスク・システムを示す図である。
【図４ｃ】さらに動作可能な状態における、すなわちキオスクを複製する、図１のキオスク・システムを示す図である。
【図４ｄ】さらに動作可能な状態における、すなわちキオスクを破棄する、図１のキオスク・システムを示す図である。
【図５】本発明の諸実施形態によるキオスクのソフトウェアおよびハードウェア・アーキテクチャを示す概略図である。
【図６】本発明の一実施形態によるキオスクのソフトウェアおよびハードウェア・アーキテクチャを示す概略図である。
【発明を実施するための形態】
【００２５】
ここでは、キオスク・デバイスは、主に以下の部分によって構成される。Ｉ／Ｏユニット、インターネットからアップロードおよびダウンロードするためのキオスク・デバイスおよび標準的な通信ユニットによって示されるコンテンツを管理するローカル・プロセッサ。
【００２６】
本発明の諸実施形態によるキオスク・デバイス（本明細書では「キオスク」と簡単に呼ばれる）は、革新的なサービスを配信し、情報の迅速なターゲットされた流布を可能にし、マス・キャンペーンの代わりに選択されたプロモーションによって広告費を低減するためのマルチメディア・キオスクおよび戦略的ツールである。
【００２７】
本発明のキオスクは、非常に用途が多く、効果的で、参照しやすく、高トラフィックの公共の場における戦略的な場所に配置されることが可能であり、豊富な情報、ニュース、画像および音響に容易にアクセスすることを可能にする。
【００２８】
本発明の諸実施形態によれば、キオスク・システムは、複数のキオスクを備え、前記キオスクは、相互に接続されてネットワークを形成する。基本的構成によれば、第１のキオスク・デバイスおよび第２のキオスク・デバイスが提供される。第１のデバイスは、前記第１のキオスクに接続されてよく、第２のデバイスは第２のキオスクに接続されてよい。システムはまた、キオスクを管理するように構成されたキオスク・マネージャを備えてもよい。
【００２９】
本発明の諸実施形態によれば、図１および２に示されているように、キオスク・システムは、１つの第１のキオスクおよび１つの第２のキオスクを含めて、複数のキオスクを備えて提供される。キオスクは、一般に、参照数字１０および文字によって示される。図２では、６つのキオスク１０ａ、１０ｂ、．．．、１０ｆが例として示されている。場合によっては、一般的なキオスクは、（図１においてのように）後続の文字なしにキオスク１０と呼ばれる。
【００３０】
各キオスク１０は、１つまたは複数のデバイス２０を備える（図２）。基本的な構成では、各キオスクは、単一のデバイスを備える。しかし、通常、キオスクは２つ以上のデバイスを備えてよい。デバイスは、図面において、参照数字２０とさらに付け加えられた数字によって示され、２つの数字は、記号「−」によって分離される。例えば、キオスク１０ａは、それに接続された２つのデバイス２０−１および２０−２を備え、キオスク１０ｃは、３つのデバイス２０−１、２０−３、２０−４を備える。場合によっては、一般的なデバイスは、後続の追加数字なしに「デバイス２０」と呼ばれる。
【００３１】
デバイス２０は、マルチメディア・デバイス（例えば無線アクセス・ポイント）、センサ・デバイス（汚染センサ・デバイス、温度センサ・デバイス、圧力センサ・デバイス、または任意の他のセンサ・デバイスのいずれか）、検出器（汚染検出器、温度検出器、圧力検出器、または任意の他の検出器デバイスのいずれか）、個別画像（スチールカメラ）または一連の画像（ビデオカメラ）を得るためのデバイス、インタラクティブ端末、処理ユニット、データ・ストレージ・デバイス、ローカライゼーション・デバイス、ＮＦＣ（近距離無線通信）デバイスなどでよい。デバイス２０はまた、「物理的デバイス」とも呼ばれる。上記のリストは、網羅的ではなく、実行されるべきツールおよび／またはサービスに応じて他のデバイスが追加されてもよいことが理解されるべきである。
【００３２】
デバイス２０は、キオスクの物理層を構成する。
【００３３】
デバイス２０は、有線接続によってキオスク１０に接続されてよい。他の諸実施形態では、デバイス２０は、無線接続によってキオスク１０に接続されてよい。デバイスをキオスクに接続する連続線はケーブル線を表すとは限らないが、任意の他の接続形態を含むことが理解されるべきである。
【００３４】
図５に関連して、本発明の諸実施形態によれば、キオスク１０のそれぞれは、何らかのハードウェアおよび何らかのソフトウェアを備える。
【００３５】
ハードウェアは、好ましくは、ハウジング１０１、モニタ１０２、キーボード１０３など、およびプロセッサ（図示せず）を含む。タッチ・スクリーン・モニタが、キーボード１０３に追加して、またはそれの代わりに提供されてもよい。
【００３６】
ソフトウェアは、それに接続されたデバイス（複数可）２０を代表する特徴Ｃｉを含む仮想層１１を含む。
【００３７】
言い換えれば、仮想層１１は、物理的デバイス２０を「仮想化資源」として露出することを担当する。このようにして、各キオスクは、ユーザ・ニーズに応じて、物理的デバイスのサブセットまたは物理的デバイスのフルセットのいずれかを相互に接続することにより構成されてよい。
【００３８】
好ましくは、本発明によれば、各キオスク１０はまた、特徴Ｃｉによって順次表される物理的デバイス（複数可）２０によって提供される、最終ユーザに対して露出された機能のセットを表すアプリケーション層１２を備える。
【００３９】
さらに、キオスク１０はまた、ネットワーク層１３を備えてもよい。ネットワーク層１３は、キオスク１０を、キオスク１０に接続されたデバイス２０を代表する特徴Ｃｉに応じて、調整された資源および／またはデバイス２０を共用するプラットフォームを表す計算グリッド、および動的多次元キオスク・サブネットワーク１における問題解決システムに接続するように構成される。
【００４０】
言い換えれば、各キオスク１０は、計算グリッド、すなわち、大規模および資源多用アプリケーションをデプロイする柔軟性を結合するための参照プラットフォームに接続される。
【００４１】
これに関して、本発明によれば、キオスク・システムは、いくつかのキオスク１０を管理するように構成されたキオスク・マネージャ３０を備える（図１および２）。
【００４２】
一般に、キオスク・マネージャ３０は、キオスク１０の管理のためのシステムを実行する。
【００４３】
キオスク・マネージャ３０は、（本明細書の残部において詳細に明記されているように）キオスクのための発見、構成、オーケストレータおよびヘルプ・デスクの機能を実施するソフトウェア・ベースのシステムであり、３つのソフトウェア層によって実施される（図２および２ａ）。
−  単一のキオスクそれぞれの構成および／または稼働しているキオスクのネットワークの構成のためのインターフェース層３５、すなわちオペレータへのインターフェース、好ましくは、グラフィカル・インターフェース層であるインターフェース層３５、
−  オペレータによって受信された要求をキオスクそれぞれの特徴と一致するサービスのアクティブ化に変換するためのサービス層３６、
−  キオスク構成要求をキオスクを管理するためのプロトコル（ｅｓ．ＳＮＭＰなど）と一致する適切なデータ・パケットに変換するためのネットワーク層３７。
【００４４】
本発明の諸実施形態によれば、キオスク・マネージャ３０およびキオスク１０は、ネットワークにおいて接続される。
【００４５】
本発明の諸実施形態によれば、キオスク・マネージャ３０は、フォルト・トレランスおよびネットワーク上で利用可能な計算資源を最大化するために、いくつかのキオスク上に分配されるように構成される。
【００４６】
代替として、キオスク・マネージャ３０は、単一の機械上で実施されるように構成される。
【００４７】
より一般的には、キオスク・マネージャ３０は、提供されるべきアプリケーションおよびサービスに応じてネットワークのいくつかのキオスク１０を管理するように構成されることが理解されるべきである。
【００４８】
言い換えれば、キオスク・マネージャ３０は、計算資源およびストレージ資源を管理し、明確に定義されたドメイン・ネットワーク１またはサブネットワーク１に配置されたすべてのキオスク１０をオーケストレートすることを担当する。
【００４９】
キオスク・マネージャ３０は、新しいキオスク１０を毎日、毎週およびある時刻に管理し、キオスク１０の個々のグループそれぞれのプログラミングを管理するように構成される。
【００５０】
キオスク・マネージャ３０はまた、キオスク１０のコンテンツを異なるサブネットワーク１に応じてまたは単一のキオスク１０ごとにパーソナライズすることができる。
【００５１】
サブネットワーク１は、すべて同じタイプのデバイスを有するキオスク１０を備えてよい。例えば、サブネットワーク１は、ビデオカメラおよび圧力センサを備えたいくつかのキオスクを備えてよい。
【００５２】
キオスク・マネージャ３０は、インフラストラクチャ構成、パーティショニング、アプリケーション設計およびダウンロードを含めて、仮想化資源／デバイス２０のクラウド／グリッド／サブネットワーク１を管理するために提供される。
【００５３】
本発明の諸実施形態によれば、キオスク・マネージャ３０は、第１のキオスク１０および第２のキオスク１０を、キオスクそれぞれの代表的特徴Ｃｉに応じて接続するように構成され、それによって、キオスク・サブネットワーク１を形成する。
【００５４】
言い換えれば、キオスク・マネージャ３０は、ネットワークにおいて、前記キオスク１０の特徴Ｃｉに応じて特定のアプリケーションにおける特定の機能を実行するために選ばれると考えられるキオスク１０のみを選択する。
【００５５】
この目的のために、本発明によれば、キオスク・マネージャ３０は、発見マネージャ３１を備える（図２および２ａ）。
【００５６】
発見マネージャ３１は、任意のキオスク１０に接続されたデバイス２０を代表する特徴Ｃｉを検出するように構成される。
【００５７】
言い換えれば、発見マネージャ３１は、キオスク１０において使用されるアプリケーションおよびデバイス２０を自動的に検出する。
【００５８】
発見マネージャは、デバイス２０の特性、現在の構成および状態のうちの１つまたは複数に関する情報を収集する。
【００５９】
好ましくは、状態は、パフォーマンスおよびエラー統計値を含む。
【００６０】
最後に、すべての集められた情報を互いに関連させ、評価し、異なる物理的ユニット（例えば、ストレージ）間の接続を表すためのデータを供給する。
【００６１】
本発明によれば、キオスク・マネージャ３０は、構成マネージャ３２を備える（図２および２ａ）。
【００６２】
構成マネージャ３２は、サブネットワーク１においてキオスク１０を構成するように適応される。
【００６３】
本発明によれば、構成マネージャ３２は、キオスク１０を作成するように構成された第１の構成モジュール３２１を備える。
【００６４】
本発明によれば、構成マネージャ３２は、前記キオスク１０の物理的インフラストラクチャを変更するように構成された第２の構成モジュール３２２を備える。
【００６５】
本発明の諸実施形態によれば、構成マネージャ３２は、キオスク１０をロードおよび／または起動するように構成された第３の構成モジュール３２３を備える。
【００６６】
本発明によれば、構成マネージャ３２は、キオスク１０を複製するように構成された第４の構成モジュール３２４を備える。
【００６７】
本発明によれば、構成マネージャ３２は、キオスク１０を破棄するように構成された第５の構成モジュール３２５を備える。
【００６８】
言い換えれば、構成マネージャ３２は、サブネットワーク１のすべての構成要素の構成をかなり簡単にする。
【００６９】
前述のように、構成サービスの基本プリミティブは、
−  ハードウェア・サブシステムの定義から開始して、新しい仮想キオスクを作成することを可能にする、仮想キオスクを作成すること、
−  キオスクの物理的インフラストラクチャを変更することを可能にする、仮想キオスクを構成すること、
−  仮想キオスクを起動する、仮想キオスクをロードすること、
−  新しい場所において仮想キオスクを複製および移動することを可能にする、キオスクを複製すること、
−  仮想キオスクインスタンスをキャンセルすることを可能にする、キオスクを破棄すること
である。
【００７０】
本発明によれば、キオスク・マネージャ３０は、仮想キオスク・インフラストラクチャ上での適切なアドバンスト・サービスのデプロイメントを設計、指定およびオーケストレートするように構成されたサービス・オーケストレータ・マネージャ３３（図２および２ａ）を備える。
【００７１】
言い換えれば、例として、オーケストレータ・マネージャ３３は、キオスク１０に関連するマルチメディア・コンテンツの戦略的態様を考慮に入れてネットワーキングおよびストレージ・サービスをオーケストレートする。
【００７２】
構成フェーズが構成マネージャ３２によって実行された後に、オーケストレータ・マネージャ３３は、キオスク１０のコンテキストの変更を提供する。
【００７３】
言い換えれば、オーケストレータ・マネージャ３３は、キオスク１０にそのコンテキストを構成からキオスク・ネットワークにおいて計量および監視する資源／デバイス２０に変更させる。
【００７４】
このようにして、オーケストレータ・マネージャ３３は、計算資源をネットワーク内のキオスクの間に動的に再分配するためのすべての情報を有する。
【００７５】
再配分は、各キオスク１０によって必要とされる資源に応じて実行される。
【００７６】
本発明の諸実施形態によれば、キオスク・マネージャ３０は、接続問題がないか監視し、トラブル・チケット・システムを扱うように構成されたヘルプ・マネージャ３４（図２および２ａ）を備える。
【００７７】
上記説明から、キオスク１０の構成および実行の点からキオスク・システムの機能が理解されるであろう。
【００７８】
以下では、１つのアプリケーションが図３および４ａから４ｄを参照しながら例として説明される。
【００７９】
これらの図は、発見マネージャ３１によって実行されるサービス発見、構成マネージャ３２によって実行される構成、およびオーケストレータ・マネージャ３３によって実行される、計算サブネットワーク／グリッドに接続された仮想化キオスク１０のオーケストレーションを示す。
【００８０】
図３を参照すると、システムは、構成モードで開始し、キオスク・マネージャ３０、詳細にはその発見マネージャ３１は、仮想キオスク・グリッドに接続された物理的デバイス２０の特性／特徴Ｃｉ、現在の構成および状態に関する情報を収集してそれ自体の仮想キオスク・ドメインを探索する。デバイス２０に関する情報は、特徴Ｃｉとしてローカルに格納される。
【００８１】
図４ａから４ｄを参照すると、キオスク・マネージャ３０、詳細には構成マネージャ３２は、フィールドから来る情報に基づいて、仮想キオスク１０をその仮想キオスク・ドメイン／サブネットワーク１の中で作成、破棄、構成、ロード、および複製する。
【００８２】
図４ａを参照すると、新しいキオスク１０が必要とされる場合は、利用可能な物理的資源／デバイス２０を統合して仮想キオスク１０が作成される。例として、仮想キオスク１０は、１つの（マルチコア）処理ユニット、１つのストレージ・ユニット、１つの無線アクセス・ポイント、２つのカメラおよび１つのローカライゼーション・システムのうちの１つまたは複数から構成されるべきである。
【００８３】
図４ｂを参照すると、既存のキオスク１０の新しい構成が必要とされる場合は、仮想キオスク１０は、物理的インフラストラクチャを変更するために、まず停止され、次いで編集される（例えば、新しいストレージ・スペースが必要とされる）。手順を完了するために、仮想キオスク１０は最後に再ロードされる。
【００８４】
図４ｃを参照すると、仮想キオスク１０のコピーが必要とされる場合は、古いものの特徴全体を保持するために、仮想キオスク１０を、明確に定義された場所から新しい場所に複製することが可能である。
【００８５】
図４ｄを参照すると、仮想キオスク１０がまだ必要とされない場合は、仮想インフラストラクチャは簡単な方法で削除されるべきである。
【００８６】
仮想キオスク管理アプリケーションは終了し、状態を供給から資源計量および監視に変更する。
【００８７】
この時点で、オーケストレータ・マネージャ３３は、稼働しているキオスク１０それぞれによって必要とされる資源に応じて計算資源を稼働しているネットワークに最善の方法で動的に分配するために稼働し始める。
【００８８】
本発明のキオスク・システムの自動構成および実行の実施例が水文地質学的災害（図６）に関連して以下で説明される。
【００８９】
クリティカル・エリア２００は、潜在的水文地質学的災害エリアとして定義される。クリティカル・エリアの特徴パラメータ（Ｃｉ）（例えば川の水位）を連続して監視するために、複数のデバイス２０、詳細にはセンサを含む明確に定義されたセンサ・ネットワーク２０１がクリティカル・エリア２００の中に配置される（フェーズＩ）。
【００９０】
センサ・ネットワーク２０１は、潜在的水文地質学的災害が起こり得るエリアにある対応するローカル・キオスク１０ａ、１０ｂに（定期的に）無線通知する（フェーズＩＩ）。
【００９１】
データは、ローカル仮想キオスクによって連続して分析される（３）。水文地質学的災害が生じた場合は、キオスク・マネージャ３０は、
−  よりよい方法で公共セキュリティ・システムと通信することを担当する潜在的リモート仮想キオスク１０ｃ、１０ｄセットを選択する、
−  キオスク間のマシン・ツー・マシン通信を最大化すること（例えば、監視された災害に関連する履歴データの最大セットを収容するために、帯域幅、ストレージ・システムを最大化することなど）を担当する最大資源セットを割り当てる、
−  水文地質学的災害による損害を最小化するために必要とされるアクションを選択する、
−  公共セキュリティ・システムを広告するために、有用な情報（例えば、警告のレベル、必要とされるアクション）の全セットをリモート仮想キオスク１０ｃ、１０ｄに（リアルタイムで）送信する（フェーズＩＶ）
ために、ローカル仮想キオスクを編成する。
【００９２】
ローカル・キオスクは協働して、キオスク・マネージャ３０によって、適応的な方法で、フィールドから来る警告の明確に定義されたレベルに応答して、それら自体を自動編成する。ローカル仮想化キオスク１０ａ、１０ｂは、同じエリアまたは隣接するエリアを選択し、次いで、それらのエリアを、マシン・ツー・マシン通信を介して、他の潜在的仮想キオスク１０ｃ、１０ｄに通知し、それによって仮想キオスク・サブネットワーク１を形成する。
【００９３】
言い換えれば、キオスク１０は、協働して、災害に関する警告を送信するようにそれら自体を編成する。
【００９４】
水文地質学的災害に関する情報は、公共セキュリティ・システムの仮想キオスクにリアルタイムで送出される。
【００９５】
キオスクに接続されたデバイスによって検出可能な水文地質学的災害および／または他の災害の後にルート情報をブロードキャストする際に、提案されたマシン・ツー・マシン（Ｍ２Ｍ）通信環境を有する本発明のキオスク・システムのハイ・ポテンシャルが理解されるべきである。
【００９６】
本発明によって、以下の利点が達成される。
−  仮想化、クラウド・インフラストラクチャおよびマシン・ツー・マシン（Ｍ２Ｍ）通信パラダイムによって提供されたオープンかつ分散されたサービスおよび機能の容易な実施、
−  様々な仮想資源を、キオスク・デバイスをグリッドに接続可能な追加の処理およびストレージ資源と接続するメッシュ型ネットワークに対して露出することができるキオスク・システムのＨＷ／ＳＷアーキテクチャを簡単な方法で構築すること、
−  計算資源の稼働しているネットワークへの動的分配、新しいチャレンジングなアプリケーションにおける簡単な使用。分散センサの利用可能性は、例えば、革新的なセキュリティ・アプリケーションを可能にする。
−  仮想キオスクのアプリケーションは、ユーザ・プリファレンスおよびコンテキストを考慮に入れて自動的に更新されるという意味で、動的でプラグ可能である。
【図１】
2014531654.tif 000003
【図２】
2014531654.tif 000004
【図２ａ】
2014531654.tif 000005
【図３】
2014531654.tif 000006
【図４ａ】
2014531654.tif 000007
【図４ｂ】
2014531654.tif 000008
【図４ｃ】
2014531654.tif 000009
【図４ｄ】
2014531654.tif 000010
【図５】
2014531654.tif 000011
【図６】
2014531654.tif 000012
【国際調査報告】
2014531654.tif 000013
2014531654.tif 000014